(57)【要約】      （修正有）【課題】単に飲料水用の容器としてではなく記念品としても用いることができるペットボトルを提供する。【解決手段】ペットボトル１０の本体部２０の凹凸のない円周面にラベル４０が貼り付けられている。ラベル４０の裏面には、元の画像の横方向を所定の寸法で縮尺した第２の画像４０ｂが印刷されている。本体部２０にミネラルウォーターや水道水などの透明な液体が注入された状態で、本体部を通して第２の画像４０ｂが視認されると、第２の画像が横方向に拡大されて第３の画像４０ｃとして視覚に入るように構成されている。ペットボトル１０は、第２の画像４０ｂに思い出となるような画像を印刷することで記念品として利用することができる。【選択図】図１
0003201696.tif 000002
【実用新案登録請求の範囲】
【請求項１】
円筒部と底部と飲み口部が一体的に形成され、液体が注入される本体部と、前記飲み口部に嵌め込まれるキャップと、凹凸のない前記円筒部の円周面に、裏面が貼り付けられたラベルを有するペットボトルであって、
前記ラベルは、第１の画像が表面に印刷され、横方向を所定の寸法で縮尺された第２の画像が前記裏面に印刷されており、
前記本体部に透明な前記液体が注入された状態で、前記第２の画像の前記横方向が拡大されて視認される第３の画像を有し、前記第３の画像が視覚に入るように構成されていることを特徴とするペットボトル。
【請求項２】
前記ラベルは、前記円筒部の円周面の一方の半円周面に貼り付けられ、前記円筒部の他方の半円周面から視認することにより、前記第２の画像の前記横方向が拡大されて前記第３の画像として、視覚に入るように構成されていることを特徴とする請求項１に記載のペットボトル。
【請求項３】
前記ラベルは、筒状に形成され、前記円筒部の円周面に接するように前記本体部に嵌め込まれ、熱を加えられることで前記円筒部の円周面に圧縮密着され、前記本体部に貼り付けられ、
前記筒状に形成されたラベルの円周面の一方の半円周面の表面に、前記第１の画像が印刷され、裏面に、前記第２の画像が印刷されており、
前記ラベルの円周面の透明に形成されている他方の半円周面から視認することにより、前記第２の画像の前記横方向が拡大されて前記第３の画像として、視覚に入るように構成されていることを特徴とする請求項１に記載のペットボトル。
【請求項４】
前記ラベルは、前記ラベルの円周面の他方の半円周面内の所定の部分を囲むように、矩形状のミシン目が設けられており、前記ミシン目に囲まれた前記所定の部分が取り外されるように構成されていることを特徴とする請求項３に記載のペットボトル。
【請求項５】
前記第２の画像及び前記第３の画像は、思い出となり記念となるように描写された文字、絵柄またはそれらの組み合わせであることを特徴とする請求項１から請求項４のいずれか１項に記載のペットボトル。
【請求項６】
前記ラベルは、プラスチックで形成されていることを特徴とする請求項１から請求項５のいずれか１項に記載のペットボトル。
【請求項７】
前記本体部に注入されている透明な液体は、ミネラルウォーターまたは水道水であることを特徴とする請求項１から請求項６のいずれか１項に記載のペットボトル。
【請求項８】
前記横方向の所定の寸法の縮尺は、前記横方向を２分の１の寸法に縮尺し、前記ラベルの縦方向はそのままであることを特徴とする請求項１から請求項７のいずれか１項に記載のペットボトル。
【考案の詳細な説明】
【技術分野】
【０００１】
本考案は、ペットボトルに関する。
【背景技術】
【０００２】
プラスチックの一種、例えばポリエチレンテレフタラートを材料として、ミネラルウォーター、アイソトニック飲料、清涼飲料などの飲料水用容器としてのペットボトルが普及している。
【考案の概要】
【考案が解決しようとする課題】
【０００３】
上記の飲料水用容器としてのペットボトルは、ペットボトル本体の飲料水を消費した後で使い捨てられており、その利用が求められている。
【０００４】
そこで本考案は、このような課題を解決するためになされたもので、ペットボトルを単に飲料水用の容器としてではなく他の利用、例えば記念品として用いることができるペットボトルの提供を目的とする。
【課題を解決するための手段】
【０００５】
上記課題を解決するために、本考案に係るペットボトルは、円筒部と底部と飲み口部が一体的に形成され、液体が注入される本体部と、前記飲み口部に嵌め込まれるキャップと、凹凸のない前記円筒部の円周面に、裏面が貼り付けられたラベルを有するペットボトルであって、前記ラベルは、第１の画像が表面に印刷され、横方向を所定の寸法で縮尺された第２の画像が前記裏面に印刷されており、前記本体部に透明な前記液体が注入された状態で、前記第２の画像の前記横方向が拡大されて視認される第３の画像を有し、前記第３の画像が視覚に入るように構成されていることを特徴とする。
【０００６】
本考案に係るペットボトルの態様について、前記ラベルは、前記円筒部の円周面の一方の半円周面に貼り付けられ、前記円筒部の他方の半円周面から視認することにより、前記第２の画像の前記横方向が拡大されて前記第３の画像として、視覚に入るように構成されていることが好ましい。
【０００７】
本考案に係るペットボトルの態様について前記ラベルは、筒状に形成され、前記円筒部の円周面に接するように前記本体部に嵌め込まれ、熱を加えられることで前記円筒部の円周面に圧縮密着され、前記本体部に貼り付けられ、前記筒状に形成されたラベルの円周面の一方の半円周面の表面に、前記第１の画像が印刷され、裏面に、前記第２の画像が印刷されており、前記ラベルの円周面の透明に形成されている他方の半円周面から視認することにより、前記第２の画像の前記横方向が拡大されて前記第３の画像として、視覚に入るように構成されていることが好ましい。
【０００８】
本考案に係るペットボトルの態様について、前記ラベルは、前記ラベルの円周面の他方の半円周面内の所定の部分を囲むように、矩形状のミシン目が設けられており、前記ミシン目に囲まれた前記所定の部分が取り外されるように構成されていることが好ましい。
【０００９】
本考案に係るペットボトルの態様について、前記第２の画像及び前記第３の画像は、思い出となり記念となるように描写された文字、絵柄またはそれらの組み合わせであることが好ましい。
【００１０】
本考案に係るペットボトルの態様について、前記ラベルは、プラスチックで形成されていることが好ましい。
【００１１】
本考案に係るペットボトルの態様について、前記本体部に注入されている透明な液体は、ミネラルウォーターまたは水道水であることが好ましく、また、前記横方向の所定の寸法の縮尺は、前記横方向を２分の１の寸法に縮尺し、前記ラベルの縦方向はそのままであることが好ましい。
【考案の効果】
【００１２】
本考案のペットボトルによれば、ペットボトルを単に飲料水用の容器としてではなく他の利用、例えば記念品として用いることができるペットボトルの提供をすることができる。
【図面の簡単な説明】
【００１３】
【図１】実施形態のペットボトルの一例を説明する模式図である。
【図２】実施形態のラベルの一例を説明する模式図である。
【考案を実施するための形態】
【００１４】
以下、本考案のペットボトルの実施形態を図１及び図２を用いて説明する。
【００１５】
図１に示すように、実施形態のペットボトル１０は、円筒部２１、底部２２及び飲み口部２３が一体的に形成され、液体が注入されるように形成されている本体部２０と、飲み口部２３に、例えばネジ式で嵌め込まれるように形成されているキャップ３０と、円筒部２１の貼り付けやすいように凹凸のないように形成されている円周面に、裏面が貼り付けられたラベル４０を有している。
【００１６】
図２に示すラベル４０では、図２（ａ）に示すように、第１の画像４０ａが表面に印刷されており、この第１の画像は、例えば本体部２０に注入されているミネラルウォーターなどの液体の内容を表示している。
【００１７】
また、図２（ｂ）に示すように、元の画像の横方向、つまり円筒部２１の円周方向を所定の寸法で縮尺し、例えば横方向のみ２分の１の寸法の縮尺としてもよく、縦方向、つまり底部２２から飲み口２３の方向はそのままの寸法の画像とした第２の画像４０ｂが、ラベル４０の裏面に印刷されている。
【００１８】
上記のように形成されたラベル４０が本体部２０に貼り付けられたペットボトル１０は、図１（ａ）に示すように、本体部２０に液体が注入されていない状態において、横方向が縮んでいる第２の画像４０ｂが視認される。
【００１９】
一方、図１（ｂ）に示すように、本体部２０にミネラルウォーターなどの透明な液体が注入されている状態において、横方向が拡大されている第３の画像４０ｃが視認される。
【００２０】
このようにペットボトル１０では、本体部２０にミネラルウォーターなどの透明な液体が注入された状態で、第２の画像４０ｂを視認すると、図１（ｂ）及び図２（ｃ）に示すように、第２の画像４０ｂが横方向に拡大されて、例えば立体的に感じる第３の画像４０ｃとして視覚に入るように構成されている。
【００２１】
また、ペットボトル１０は、第２の画像４０ｂ及びこの第２の画像４０ｂの横方向が拡大されて視認される第３の画像４０ｃを、思い出となり、記念となるように描写された文字、絵柄またはそれらの組み合わせの画像、例えば有名な花火、有名な観光地や遺産、著名なスターのコンサートや歴史的なスポーツなどの画像を用いることができ、思い出に浸ることができる記念品となるように構成されている。
【００２２】
ラベル４０の一例としては、ラベル４０が、円筒部２１の円周面の一方の半円周面に貼り付けられ、円筒部２１の円周面の他方の半円周面からの視認において、第２の画像４０ｂの横方向が拡大されて第３の画像４０ｃとして、視覚に入るように構成されている。
【００２３】
ここで、円筒部２１の円周面の一方の半円周面とは、本体部２０の底部２２から飲み口部２３の方向の中央断面を境にして、一方の部分における円筒部２１の半円周面であり、他方の半円周面とは、中央断面を境にして、他方の部分における円筒部２１の半円周面である。
【００２４】
次に、ラベルの他の一例について説明する。
【００２５】
他の一例のラベルは、筒状に形成され、円筒部２１の円周面に接するように、このラベルが、本体部２０に嵌め込まれ、熱を加えられることで円筒部２１の円周面に圧縮密着され、本体部２０に貼り付けられるように構成されている。
【００２６】
このようなラベルでは、筒状に形成されたこのラベルの円周面の一方の半円周面の表面に第１の画像４０が印刷され、このラベルの円周面の一方の半円周面の裏面に第２の画像４０ｂが印刷されている。
【００２７】
そして、透明に形成されているこのラベルの円周面の他方の半円周面からの視認において、第２の画像４０ｂの横方向が拡大されて第３の画像４０ｃとして、視覚に入るように構成されている。
【００２８】
また、このラベルにおいて、他方の半円周面内の所定の部分を取り外すために、矩形状のミシン目が設けられており、このミシン目に囲まれた所定の部分が、取り外されるように構成されていてもよい。
【００２９】
このようにこのラベルの所定の部分を取り外すことにより、第３の画像の視認をより鮮明にすることができる。
【００３０】
ここで、このラベルの円周面の一方の半円周面とは、本体部２０の底部２２から飲み口部２３の方向の中央断面を境として、一方の部分におけるこのラベルの半円周面であり、他方の半円周面とは、他方の部分におけるこのラベルの半円周面である。
【００３１】
また、実施形態のラベルは、プラスチックで形成されていてもよく、また、これに限定されず、防水性の紙などの他の部材であってもよい。
【００３２】
また、本体部２０に注入されている透明な液体は、一例としてミネラルウォーターであり、このミネラルウォーターを消費した後に、この本体部２０に、例えば水道水を注入することにより、記念碑としてのペットボトルとして楽しむことができる。
【００３３】
なお、実施形態において、透明な液体はミネラルウォーターであるが、これに限定されず、例えば炭酸水、透明なスポーツドリンクなどであってもよい。
【００３４】
上記のような特徴を有する本考案のペットボトルは、単に飲料水用の容器としてではなく他の利用、例えば記念品としての利用ができるペットボトルとしての提供をすることができ、例えば、観光地を訪れた観光客が、水分補給としてペットボトルを求めたときに、飲み終わったこのペットボトルを持ち帰り、水道水などの透明な液体をこのペットボトルの内部に満たすことで、訪れた観光地の風景などが、このペットボトルで生々しく拡大され再現されることにより、思い出に浸ることができるペットボトルとして活用できる。
【００３５】
また、有名な歌手や俳優の公演などで、このペットボトルを活用することにより、喉を潤すために購入したペットボトルを、この公演の記念品として持ち帰り、例えば、公演内容が、このペットボトルで生き生きと拡大され、公演での感動を思い出すことができる。
【００３６】
以上、本考案の有する特徴及び優れた点を上記実施形態に記載したが、本考案は、本考案の原理の範囲内で、本願の実用新案登録請求の範囲で使用されている言葉を広く一般的な意味にまで広げて実施することができる。
【００３７】
また、ペットボトルの大きさや形状、素材の厚さ、重さなどについては多様な実施形態が可能であり、それらについて本実施形態と異なる形態による実施は、本考案の技術的範囲に含まれる。
【符号の説明】
【００３８】
１０      ペットボトル
２０      本体部
２１      円筒部
２２      底部
２３      飲み口部
３０      キャップ
４０      ラベル
４０ａ    第１の画像
４０ｂ    第２の画像
４０ｃ    第３の画像
【図１】
0003201696.tif 000003
【図２】
0003201696.tif 000004